(57)【要約】【課題】表示部の破損を防止する輝度の制御が容易な表示装置を提供する。【解決手段】表示装置１００は、画像信号入力部１０からの入力画像信号に基づいて、表示部２００の周辺表示領域および外周領域の予測温度差を予測する。表示装置１００は、この予測した予測温度差の設定基準値以上である場合、周辺表示領域に表示される画像の輝度を低下させる制御をする。このため、入力画像信号のみを利用して予測温度差を予測して、この予測温度差を用いた演算を実施することなく、周辺表示領域に表示される画像の輝度を適切に制御することができる。したがって、表示部２００の破損を防止する輝度の制御を容易にできる。【選択図】図１
2007264014.tif 000002
【特許請求の範囲】
【請求項１】
外部から入力される入力画像信号に応じた輝度で表示部に表示される画像の輝度を制御する輝度制御装置であって、
前記表示部は、中央表示領域およびこの中央表示領域を囲む周辺表示領域を有し前記画像を表示可能な表示領域と、この表示領域を囲み前記画像を表示不可能な外周領域と、を備え、
前記入力画像信号に基づいて、前記周辺表示領域および前記外周領域の予測温度差を予測する温度差予測部と、
前記予測温度差の増加に応じて、前記周辺表示領域に表示される画像の輝度を低下させる状態に制御する輝度制御部と、
を具備したことを特徴とした輝度制御装置。
【請求項２】
請求項１に記載の輝度制御装置であって、
前記温度差予測部は、
前記周辺領域に表示される前記入力画像信号の動き量を示す動き信号を生成する動き信号生成部を備え、
前記予測温度差演算部は、前記動き信号に基づいて、前記予測温度差を演算する
ことを特徴とした輝度制御装置。
【請求項３】
請求項１に記載の輝度制御装置であって、
前記周辺表示領域は、前記中央表示領域の外縁に沿った複数の周辺サブ領域で構成され、
前記温度差予測部は、
前記周辺サブ領域に表示される前記入力画像信号の信号レベルを前記周辺サブ領域ごとに積算した積算値を演算する積算値演算部と、
この演算された前記積算値が最も大きい前記周辺サブ領域の積算値に基づいて、前記予測温度差を演算する予測温度差演算部と、
を備えたことを特徴とした輝度制御装置。
【請求項４】
請求項３に記載の輝度制御装置であって、
前記中央表示領域の右側または左側に位置する前記周辺サブ領域は、前記中央表示領域の上側または下側に位置する前記周辺サブ領域よりも重み付けされ、
前記積算値演算部は、前記右側または左側の周辺サブ領域の前記積算値として、前記重み付けを反映させて前記周辺サブ領域に表示される前記入力画像信号の信号レベルを積算した前記積算値を演算し、前記上側または下側の周辺サブ領域の前記積算値として、前記周辺サブ領域に表示される前記入力画像信号の信号レベルを積算した前記積算値を演算する
ことを特徴とした輝度制御装置。
【請求項５】
請求項３または請求項４に記載の輝度制御装置であって、
前記温度差予測部は、
前記周辺サブ領域に表示される前記入力画像信号の動き量を示す動き信号を前記周辺サブ領域ごとに生成する動き信号生成部を備え、
前記予測温度差演算部は、前記動き信号に基づいて、前記予測温度差を演算する
ことを特徴とした輝度制御装置。
【請求項６】
請求項１に記載の輝度制御装置であって、
前記周辺表示領域は、前記中央表示領域の外縁に沿った複数の周辺サブ領域で構成され、
前記温度差予測部は、
前記周辺サブ領域に表示される前記入力画像信号の信号レベルを前記周辺サブ領域ごとに積算した積算値を演算する積算値演算部と、
前記周辺サブ領域に表示される前記入力画像信号の動き量を示す動き信号を前記周辺サブ領域ごとに生成する動き信号生成部と、
前記周辺サブ領域ごとに前記積算値および前記動き信号に基づいて予測候補温度差を演算し、これら演算した予測候補温度差のうち値が最も大きい予測候補温度差を前記予測温度差として設定する予測温度差演算部と、
を備えたことを特徴とした輝度制御装置。
【請求項７】
外部から入力される入力画像信号に応じた輝度で表示部に表示される画像の輝度を制御する輝度制御装置であって、
前記表示部は、中央表示領域およびこの中央表示領域を囲む周辺表示領域を有し前記画像を表示可能な表示領域と、この表示領域を囲み前記画像を表示不可能な外周領域と、を備え、
前記入力画像信号に基づいて、前記表示部へ出力され前記画像を表示させる表示画像信号を生成する表示画像信号生成部と、
前記表示画像信号に基づいて、前記周辺表示領域および前記外周領域の予測温度差を予測する温度差予測部と、
前記予測温度差の増加に応じて、前記周辺表示領域に表示される画像の輝度を低下させる状態に制御する輝度制御部と、
を具備したことを特徴とした輝度制御装置。
【請求項８】
請求項７に記載の輝度制御装置であって、
前記温度差予測部は、
前記周辺領域に表示される前記表示画像信号の動き量を示す動き信号を生成する動き信号生成部を備え、
前記予測温度差演算部は、前記動き信号に基づいて、前記予測温度差を演算する
ことを特徴とした輝度制御装置。
【請求項９】
請求項７に記載の輝度制御装置であって、
前記周辺表示領域は、前記中央表示領域の外縁に沿った複数の周辺サブ領域で構成され、
前記温度差予測部は、
前記周辺サブ領域に表示される前記表示画像信号の信号レベルを前記周辺サブ領域ごとに積算した積算値を演算する積算値演算部と、
この演算された前記積算値が最も大きい前記周辺サブ領域の積算値に基づいて、前記予測温度差を演算する予測温度差演算部と、
を備えたことを特徴とした輝度制御装置。
【請求項１０】
請求項９に記載の輝度制御装置であって、
前記中央表示領域の右側または左側に位置する前記周辺サブ領域は、前記中央表示領域の上側または下側に位置する前記周辺サブ領域よりも重み付けされ、
前記積算値演算部は、前記右側または左側の周辺サブ領域の前記積算値として、前記重み付けを反映させて前記周辺サブ領域に表示される前記表示画像信号の信号レベルを積算した前記積算値を演算し、前記上側または下側の周辺サブ領域の前記積算値として、前記周辺サブ領域に表示される前記表示画像信号の信号レベルを積算した前記積算値を演算する
ことを特徴とした輝度制御装置。
【請求項１１】
請求項９または請求項１０に記載の輝度制御装置であって、
前記温度差予測部は、
前記周辺サブ領域に表示される前記表示画像信号の動き量を示す動き信号を前記周辺サブ領域ごとに生成する動き信号生成部を備え、
前記予測温度差演算部は、前記動き信号に基づいて、前記予測温度差を演算する
ことを特徴とした輝度制御装置。
【請求項１２】
請求項７に記載の輝度制御装置であって、
前記周辺表示領域は、前記中央表示領域の外縁に沿った複数の周辺サブ領域で構成され、
前記温度差予測部は、
前記周辺サブ領域に表示される前記表示画像信号の信号レベルを前記周辺サブ領域ごとに積算した積算値を演算する積算値演算部と、
前記周辺サブ領域に表示される前記表示画像信号の動き量を示す動き信号を前記周辺サブ領域ごとに生成する動き信号生成部と、
前記周辺サブ領域ごとに前記積算値および前記動き信号に基づいて予測候補温度差を演算し、これら演算した予測候補温度差のうち値が最も大きい予測候補温度差を前記予測温度差として設定する予測温度差演算部と、
を備えたことを特徴とした輝度制御装置。
【請求項１３】
請求項３ないし請求項５、請求項９ないし請求項１１のいずれかに記載の輝度制御装置であって、
前記周辺サブ領域に対応させて前記積算値を記憶する積算値記憶手段を具備し、
前記積算値演算部は、所定時間ごとに前記積算値を演算し、
前記予測温度差演算部は、前記積算値演算部で前記積算値が演算されると、この積算値を前記積算値記憶手段の前記積算値に積算して、この積算された積算値が最も大きい前記周辺サブ領域の積算値に基づいて、前記予測温度差を演算する
ことを特徴とした輝度制御装置。
【請求項１４】
請求項１３に記載の輝度制御装置であって、
前記予測温度差演算部は、前記積算値演算部で前記積算値が演算されると、この積算値が大きい順に前記周辺サブ領域の優先度を設定して、この優先度が所定の優先度よりも高い前記周辺サブ領域の前記積算値を前記積算値記憶手段の前記積算値に積算し、前記優先度が所定の優先度よりも低い前記周辺サブ領域の前記積算値記憶手段に記憶された積算値を削除する
ことを特徴とした輝度制御装置。
【請求項１５】
請求項１ないし請求項１４のいずれかに記載の輝度制御装置であって、
前記入力画像信号に基づいて、前記表示部へ出力され前記画像を表示させる表示画像信号を生成する表示画像信号生成部を具備し、
前記輝度制御部は、前記予測温度差に基づいて、前記表示画像信号の最大輝度を設定する
ことを特徴とした輝度制御装置。
【請求項１６】
請求項１５に記載の輝度制御装置であって、
前記表示領域に表示される前記入力画像信号の信号レベルを計数し、前記入力画像信号の平均信号レベルを演算する平均信号レベル演算部を具備し、
前記輝度制御部は、前記平均信号レベルの増加に応じて前記最大輝度を低下させる状態に制御する
ことを特徴とした輝度制御装置。
【請求項１７】
請求項１６に記載の輝度制御装置であって、
前記輝度制御部は、前記最大輝度を設定すると、前記入力画像信号および前記表示画像信号の関係を一意的に決定する
ことを特徴とした輝度制御装置。
【請求項１８】
中央表示領域およびこの中央表示領域を囲む周辺表示領域を有し画像を表示可能な表示領域と、この表示領域を囲み前記画像を表示不可能な外周領域と、を備え、外部から入力される入力画像信号に応じた輝度で画像を表示させる表示部と、
この表示部に表示される画像の輝度を制御する請求項１ないし請求項１７のいずれかに記載の輝度制御装置と、
を具備したことを特徴とした表示装置。
【請求項１９】
請求項１８に記載の表示装置であって、
前記表示領域および前記外周領域の裏面に設けられた放熱部材を具備した
ことを特徴とした表示装置。
【請求項２０】
演算手段により、外部から入力される入力画像信号に応じた輝度で表示部に表示される画像の輝度を制御する輝度制御方法であって、
前記表示部は、中央表示領域およびこの中央表示領域を囲む周辺表示領域を有し前記画像を表示可能な表示領域と、この表示領域を囲み前記画像を表示不可能な外周領域と、を備え、
前記演算手段は、
前記入力画像信号に基づいて、前記周辺表示領域および前記外周領域の予測温度差を予測し、
前記予測温度差の増加に応じて、前記周辺表示領域に表示される画像の輝度を低下させる状態に制御する
ことを特徴とする輝度制御方法。
【請求項２１】
演算手段により、外部から入力される入力画像信号に応じた輝度で表示部に表示される画像の輝度を制御する輝度制御方法であって、
前記表示部は、中央表示領域およびこの中央表示領域を囲む周辺表示領域を有し前記画像を表示可能な表示領域と、この表示領域を囲み前記画像を表示不可能な外周領域と、を備え、
前記演算手段は、
前記入力画像信号に基づいて、前記表示部へ出力され前記画像を表示させる表示画像信号を生成し、
前記表示画像信号に基づいて、前記周辺表示領域および前記外周領域の予測温度差を予測し、
前記予測温度差の増加に応じて、前記周辺表示領域に表示される画像の輝度を低下させる状態に制御する
ことを特徴とする輝度制御方法。
【請求項２２】
演算手段を、請求項１ないし請求項１７のいずれかに記載の輝度制御装置として機能させる
ことを特徴とした輝度制御プログラム。
【請求項２３】
請求項２０または請求項２１に記載の輝度制御方法を演算手段に実行させる
ことを特徴とした輝度制御プログラム。
【請求項２４】
請求項２２または請求項２３に記載の輝度制御プログラムが演算手段にて読取可能に記録された
ことを特徴とする輝度制御プログラムを記録した記録媒体。
【発明の詳細な説明】
【技術分野】
【０００１】
本発明は、表示部に表示される画像の輝度を制御する輝度制御装置、表示装置、輝度制御方法、そのプログラム、および、そのプログラムを記録した記録媒体に関する。
【背景技術】
【０００２】
従来、表示部の破損を防止するために、画像の輝度を調整する構成が知られている（例えば、特許文献１参照）。
【０００３】
この特許文献１に記載のものは、映像信号からＰＤＰ（Plasma Display Panel）の表示画面の外周部の温度を表す温度推定値を求める。さらに、この温度推定値からパネル外周部温度設定器より出力されるパネル外周部の温度を表す基準値を減算して、温度差推定値を求める。そして、この温度差推定値に応じてコントローラおよび明るさ制御器にて、ディスプレイ部に表示される画像の輝度を制御する構成が採られている。
【０００４】
【特許文献１】特許第３２７０４３５号公報（第４頁左欄−第１１頁左欄）
【発明の開示】
【発明が解決しようとする課題】
【０００５】
しかしながら、上述した特許文献１に記載のような構成では、温度推定値および基準値を用いた演算により温度差推定値を求めるため、輝度の制御処理が複雑になるおそれがあるという問題点が一例として挙げられる。
【０００６】
本発明の目的は、このような実情などに鑑みて、表示部の破損を防止する輝度の制御が容易な輝度制御装置、表示装置、輝度制御方法、そのプログラム、および、そのプログラムを記録した記録媒体を提供することである。
【課題を解決するための手段】
【０００７】
請求項１に記載の発明は、外部から入力される入力画像信号に応じた輝度で表示部に表示される画像の輝度を制御する輝度制御装置であって、前記表示部は、中央表示領域およびこの中央表示領域を囲む周辺表示領域を有し前記画像を表示可能な表示領域と、この表示領域を囲み前記画像を表示不可能な外周領域と、を備え、前記入力画像信号に基づいて、前記周辺表示領域および前記外周領域の予測温度差を予測する温度差予測部と、前記予測温度差の増加に応じて、前記周辺表示領域に表示される画像の輝度を低下させる状態に制御する輝度制御部と、を具備したことを特徴とした輝度制御装置である。
【０００８】
請求項７に記載の発明は、外部から入力される入力画像信号に応じた輝度で表示部に表示される画像の輝度を制御する輝度制御装置であって、前記表示部は、中央表示領域およびこの中央表示領域を囲む周辺表示領域を有し前記画像を表示可能な表示領域と、この表示領域を囲み前記画像を表示不可能な外周領域と、を備え、前記入力画像信号に基づいて、前記表示部へ出力され前記画像を表示させる表示画像信号を生成する表示画像信号生成部と、前記表示画像信号に基づいて、前記周辺表示領域および前記外周領域の予測温度差を予測する温度差予測部と、前記予測温度差の増加に応じて、前記周辺表示領域に表示される画像の輝度を低下させる状態に制御する輝度制御部と、を具備したことを特徴とした輝度制御装置である。
【０００９】
請求項１８に記載の発明は、中央表示領域およびこの中央表示領域を囲む周辺表示領域を有し画像を表示可能な表示領域と、この表示領域を囲み前記画像を表示不可能な外周領域と、を備え、外部から入力される入力画像信号に応じた輝度で画像を表示させる表示部と、この表示部に表示される画像の輝度を制御する請求項１ないし請求項１７のいずれかに記載の輝度制御装置と、を具備したことを特徴とした表示装置である。
【００１０】
請求項２０に記載の発明は、演算手段により、外部から入力される入力画像信号に応じた輝度で表示部に表示される画像の輝度を制御する輝度制御方法であって、前記表示部は、中央表示領域およびこの中央表示領域を囲む周辺表示領域を有し前記画像を表示可能な表示領域と、この表示領域を囲み前記画像を表示不可能な外周領域と、を備え、前記演算手段は、前記入力画像信号に基づいて、前記周辺表示領域および前記外周領域の予測温度差を予測し、前記予測温度差の増加に応じて、前記周辺表示領域に表示される画像の輝度を低下させる状態に制御することを特徴とする輝度制御方法である。
【００１１】
請求項２１に記載の発明は、演算手段により、外部から入力される入力画像信号に応じた輝度で表示部に表示される画像の輝度を制御する輝度制御方法であって、前記表示部は、中央表示領域およびこの中央表示領域を囲む周辺表示領域を有し前記画像を表示可能な表示領域と、この表示領域を囲み前記画像を表示不可能な外周領域と、を備え、前記演算手段は、前記入力画像信号に基づいて、前記表示部へ出力され前記画像を表示させる表示画像信号を生成し、前記表示画像信号に基づいて、前記周辺表示領域および前記外周領域の予測温度差を予測し、前記予測温度差の増加に応じて、前記周辺表示領域に表示される画像の輝度を低下させる状態に制御することを特徴とする輝度制御方法である。
【００１２】
請求項２２に記載の発明は、演算手段を、請求項１ないし請求項１７のいずれかに記載の輝度制御装置として機能させることを特徴とした輝度制御プログラムである。
【００１３】
請求項２３に記載の発明は、請求項２０または請求項２１に記載の輝度制御方法を演算手段に実行させることを特徴とした輝度制御プログラムである。
【００１４】
請求項２４に記載の発明は、請求項２２または請求項２３に記載の輝度制御プログラムが演算手段にて読取可能に記録されたことを特徴とする輝度制御プログラムを記録した記録媒体である。
【発明を実施するための最良の形態】
【００１５】
以下に、本発明の一実施の形態を図面に基づいて説明する。この一実施の形態では、画像の輝度を表示部の破損を防止する状態に制御する表示装置を例示して説明する。
図１は、本発明の一実施の形態に係る表示装置の概略構成を示すブロック図である。図２は、表示部の概略構成を示す模式図であり、（Ａ）は正面図であり、（Ｂ）は側面図である。図３〜図６は、ピーク検出用ＡＰＬおよび静止画検出用ＡＰＬを演算する対象のブロックを示す模式図である。図７は、各ＡＰＬ時の左右側周辺表示領域および外周領域における時間と温度との関係を示すグラフである。図８は、各ＡＰＬ時の画像が表示されている際の時間と左右側周辺表示領域および外周領域の温度差との関係を示すグラフである。図９は、予測温度差が設定基準値よりも小さい場合のＡＰＬおよび輝度レベルの関係を示すグラフである。図１０は、階調および輝度の関係を示すグラフである。図１１は、予測温度差が設定基準値よりも大きい場合のＡＰＬおよび輝度レベルの関係を示すグラフである。
なお、図７の温度、図８の温度差はいずれも通常はある程度の時間で飽和する。しかし、本発明者の実験では図７の温度、図８の温度差が飽和レベルに達する前に表示部の破損が発生することが分った。そこで、図７，８はそれぞれ温度、温度差が飽和レベルに達する以前の、経過時間に対して温度、温度差が略リニアに上昇する範囲のみを示している。
【００１６】
〔表示装置の構成〕
図１において、１００は表示装置である。そして、この表示装置１００は、表示部２００と、演算手段としての輝度制御装置３００と、などを備えている。
【００１７】
表示部２００は、輝度制御装置３００から出力される表示画像信号に基づく画像を表示する。そして、表示部２００は、図２（Ａ），（Ｂ）に示すように、ＰＤＰ２１０と、放熱部材としての放熱用シャーシ２７０と、などを備えている。
【００１８】
ＰＤＰ２１０は、対向する状態で配設された略長方形状の前面基板および背面基板などを備えている。このＰＤＰ２１０は、画像を表示可能な表示領域２２０と、画像を表示不可能な外周領域２５０と、を備えている。
【００１９】
表示領域２２０は、ＰＤＰ２１０の外縁から所定距離離れた面内側に、長方形状に設けられている。この表示領域２２０に対応する部分には、図示しない電極、誘電体層、蛍光体層などが配置されている。そして、この表示領域２２０には、輝度制御装置３００からの表示画像信号に基づく画像が適宜表示される。
【００２０】
また、表示領域２２０は、周辺表示領域２３０と、中央表示領域２４０と、を備えている。
周辺表示領域２３０は、表示領域２２０を上下方向に４分割、左右方向に４分割、合わせて１６分割した領域のうち、外周領域２５０に隣接する領域である。
中央表示領域２４０は、周辺表示領域２３０に囲まれた領域である。
なお、中央表示領域２４０の左右側に隣接する周辺表示領域２３０を左右側周辺表示領域２３０と、上下側に隣接する周辺表示領域２３０を上下側周辺表示領域２３０と、それぞれ適宜称して説明する。また、中央表示領域２４０の左右側、かつ中央表示領域２４０の上下側に位置する、周辺表示領域２３０であって、中央表示領域２４０の斜め上側及び斜め下側の４つの領域は左右側周辺表示領域２３０、上下側周辺表示領域２３０のいずれにも含めないことにする。
【００２１】
放熱用シャーシ２７０は、ＰＤＰ２１０の背面に設けられている。この放熱用シャーシ２７０は、例えばアルミニウムなどの金属により、ＰＤＰ２１０と略等しい長方形板状に形成された図示しないシャーシ基部を備えている。このシャーシ基部の外縁には、シャーシ基部の一面側に垂直方向に立設する側面部が一連に設けられている。また、シャーシ基部の一面には、例えば長手方向に略等間隔で設けられた複数の図示しない放熱フィンが設けられている場合もある。
そして、放熱用シャーシ２７０は、シャーシ基部における放熱フィンが設けられていない面がＰＤＰ２１０の背面に対向する状態で、接着材としての両面テープ２７５により固着されている。この両面テープ２７５は、表示領域２２０の外形状よりも大きく、かつ、外周領域２５０の外形状よりも小さい形状を有している。あるいは、両面テープ２７５は、表示領域２２０、外周領域２５０の全面に亘って貼付されている場合もある。このような構成の方が外周領域２５０と周辺表示領域２３０の温度差は生じにくい。
これらにより、ＰＤＰ２１０が両面テープ２７５を介して放熱用シャーシ２７０に密接するため、ＰＤＰ２１０から伝達された熱は、放熱用シャーシ２７０を介して放熱フィンから空気中に放出される。
【００２２】
輝度制御装置３００は、図１に示すように、画像信号入力部１０に着脱可能に接続されている。この輝度制御装置３００は、画像信号入力部１０から入力され、例えばγ補正などが施された入力画像信号を取得する。そして、この入力画像信号の画像の輝度を、表示領域２２０および外周領域２５０の温度差により表示部２００が破損しない値に設定する。さらに、この設定した輝度の画像を表示させるための表示画像信号を、表示部２００へ出力する。
そして、輝度制御装置３００は、温度差予測部３１０と、平均信号レベル演算部としての全画面ＡＰＬ（Average Picture Level：平均信号レベル）演算部３６０と、表示画像信号生成部としても機能する輝度制御部３７０と、などを備えている。
【００２３】
温度差予測部３１０は、入力画像信号に基づいて、表示領域２２０の周辺表示領域２３０および外周領域２５０の予測温度差を予測する。
この温度差予測部３１０は、積算値演算部としてのピーク検出用ＡＰＬ演算部３２０と、動き信号生成部としての静止画検出用ＡＰＬ演算部３３０と、積算値記憶手段としてのメモリ３４０と、予測温度差演算部３５０と、などを備えている。
【００２４】
ピーク検出用ＡＰＬ演算部３２０は、周辺表示領域２３０を含む所定の領域における入力画像信号レベルの積算値としてのピーク検出用ＡＰＬを演算して、予測温度差演算部３５０へ出力する。
このピーク検出用ＡＰＬ演算部３２０は、６４個のＡＰＬ演算部３２１を備えている。これらのＡＰＬ演算部３２１は、画像信号入力部１０と、予測温度差演算部３５０と、に接続され、画像信号入力部１０から入力画像信号を取得して、図３〜図６に示すような周辺サブ領域としての６４個のブロック２３１のそれぞれのＡＰＬ（以下、ピーク検出用ＡＰＬと称す）を演算する。後述するように、予測温度差演算部３５０は、６４個のＡＰＬのうちから値の大きい１０個のＡＰＬや最大値のピークＡＰＬを検出する。
【００２５】
ここで、第１〜第１６のブロック２３１は、図３に示すように、中央表示領域２４０の上側の周辺表示領域２３０を左右方向に１６分割したそれぞれの領域である。第１７〜第３２ブロック２３１は、図４に示すように、右側の周辺表示領域２３０を上下方向に１６分割したそれぞれの領域である。第３３〜第４８ブロック２３１は、図５に示すように、下側の周辺表示領域２３０を左右方向に１６分割したそれぞれの領域である。第４９〜第６４ブロック２３１は、図６に示すように、左側の周辺表示領域２３０を上下方向に１６分割したそれぞれの領域である。
そして、これら第１〜第６４ブロック２３１は、等しい面積を有し、等しい数の図示しない画素を有している。
【００２６】
そして、ＡＰＬ演算部３２１は、以下のようにしてピーク検出用ＡＰＬを演算する。
すなわち、ＡＰＬ演算部３２１は、対応するブロック２３１の各画素における入力画像信号に対応する階調を認識して、分布を求める。そして、階調が７以上の分布を利用して、以下の数１に基づいて、ピーク検出用ＡＰＬを演算する。
【００２７】
Ｐ＝（（Ｇ７）×７／１５＋（Ｇ８）×８／１５＋（Ｇ９）×９／１５＋（Ｇ１０）×１０／１５＋（Ｇ１１）×１１／１５＋（Ｇ１２）×１２／１５＋（Ｇ１３）×１３／１５＋（Ｇ１４）×１４／１５＋（Ｇ１５）×１５／１５）／（ＧＡ））×１００…（１）
Ｐ：ＡＰＬ（％）
ＧＡ：ブロック２３１の総画素数
ＧＬ（Ｌ＝７〜１５）：階調がＬの画素数
【００２８】
ＡＰＬ演算部３２１は、例えば以下の表１に示すような分布の場合、ピーク検出用ＡＰＬを約３２％と演算する。
【００２９】
【表１】
2007264014.tif 000003
【００３０】
そして、ＡＰＬ演算部３２１は、例えば６０秒ごとに、数１に基づくピーク検出用ＡＰＬとして演算して、ブロック２３１のアドレスとともに予測温度差演算部３５０へ出力する。
【００３１】
静止画検出用ＡＰＬ演算部３３０は、６４個の静止画ＡＰＬ演算部３３１を備えている。これら静止画ＡＰＬ演算部３３１は、画像信号入力部１０と、予測温度差演算部３５０と、に接続され、画像信号入力部１０から入力画像信号を取得して、第１〜第６４ブロック２３１のそれぞれのＡＰＬ（以下、静止画検出用ＡＰＬと称す）として演算する。
具体的には、静止画ＡＰＬ演算部３３１は、例えば１０秒ごとに、上述した数１に基づくＡＰＬを静止画検出用ＡＰＬとして演算して、動き信号としての静止画検出用ＡＰＬ信号を生成する。そして、この静止画検出用ＡＰＬ信号をアドレスとともに予測温度差演算部３５０へ出力する。
【００３２】
なお、ここでは、６４個ずつのＡＰＬ演算部３２１を設けた構成について例示したが、例えば２個だけ設け、各ＡＰＬ演算部３２１に、３２個のブロック２３１のピーク検出用ＡＰＬを演算させる構成としてもよい。また、静止画ＡＰＬ演算部３３１についても、同様の構成としてもよい。さらに、ピーク検出用ＡＰＬおよび静止画検出用ＡＰＬの演算対象のブロック２３１の大きさを、異なる大きさにする構成としてもよい。
【００３３】
メモリ３４０は、予測温度差演算部３５０に接続されている。このメモリ３４０は、１０個のブロック２３１に関するピーク検出用ＡＰＬの後述するポイントの合計値を記憶可能な容量を有している。
【００３４】
予測温度差演算部３５０は、全画面ＡＰＬ演算部３６０と、輝度制御部３７０と、に接続されている。この予測温度差演算部３５０は、全画面ＡＰＬ演算部３６０から後述する白画面検出用ＡＰＬと、静止画検出用ＡＰＬと、ピーク検出用ＡＰＬと、に基づいて、予測温度差を演算する。ここで、詳しくは後述するが、白画面検出用ＡＰＬは、入力画像信号に基づいて求められる。すなわち、予測温度差演算部３５０は、入力画像信号のみに基づいて、周辺表示領域２３０および外周領域２５０の予測温度差を演算する。
【００３５】
ここで、予測温度差を演算する際に利用する、入力画像信号および予測温度差の関係について説明する。
表示部２００は、上述したように、ＰＤＰ２１０に放熱用シャーシ２７０を設けた構成を有しているので、以下のような特性を有していることが実験的にわかっている。
【００３６】
すなわち、左右側周辺表示領域２３０、つまり、例えば図４に示すような第２５のブロック２３１と、この第２５のブロック２３１近傍の外周領域２５０と、における各ＡＰＬ時での時間と温度との関係は、図７に示すようになる。また、放熱用シャーシ２７０を設けているので、画像表示前の状態において、周辺表示領域２３０および外周領域２５０の温度差は、略０になる。
これらより、時間と第２５のブロック２３１および外周領域２５０の温度差との関係を、図８に示すような関係と考えることができる。つまり、第２５のブロック２３１および外周領域２５０の温度差は、所定時間をΔｔとすると、時刻（Ｔ−Δｔ）から時刻Ｔに外周領域２５０に与えたエネルギー、すなわち駆動パルス数の総和により決定できる。
また、一般的に、左右側周辺表示領域２３０での温度差は、上下側周辺表示領域２３０よりも大きくなりやすい傾向がある。これは、熱が上下方向に伝導しやすいためと考えられる。
これらのことから、上下側周辺表示領域２３０の温度差が左右側と比べて小さくなるため、予測温度差演算部３５０は、図８に示す関係に基づいて、予測温度差を演算する。
【００３７】
具体的には、予測温度差演算部３５０は、全画面ＡＰＬ演算部３６０から１秒ごとに白画面検出用ＡＰＬを取得する。そして、連続する１０個の白画面検出用ＡＰＬのうち２０％以下のものが９個以上であることを認識すると、この状態が３分間継続したか否かを判断する。そして、３分間継続したと判断すると、表示領域２２０に全体的に白い画像、すなわち輝度が高い画像が連続して表示されているため、周辺表示領域２３０および外周領域２５０に温度差が生じて破損する（以下、パネル割れと適宜称す）おそれがある（以下、条件１を満たすと称す）と認識する。
また、１０個のうち２０％以下のものが９個以上の状態が３分間継続していないと判断すると、条件１を満たさないと認識する。
【００３８】
また、予測温度差演算部３５０は、静止画検出用ＡＰＬ演算部３３０から１０秒ごとに静止画検出用ＡＰＬ信号を取得する。そして、全てのブロック２３１において、直前に取得した静止画検出用ＡＰＬ信号の静止画検出用ＡＰＬとの差が１％以上変化していないことを認識すると、この状態が３分間継続したか否かを判断する。そして、３分間継続したと判断すると、周辺表示領域２３０に静止画に近い画像が連続して表示されているため、この静止画が全体的に白い、すなわち条件１を満たす場合に、周辺表示領域２３０および外周領域２５０に温度差が生じてパネル割れのおそれがある（以下、条件２を満たすと称す）と認識する。
また、上述した差が１％以上変化していない状態が３分間継続していないと判断すると、条件２を満たさないと認識する。
【００３９】
さらに、予測温度差演算部３５０は、ピーク検出用ＡＰＬ演算部３２０から６０秒ごとに各ブロックごとのピーク検出用ＡＰＬを取得し、そのうちＡＰＬ値が相対的に大きい１０個のＡＰＬ値を、以下の表２に基づいてポイントに換算する。ポイントに換算するのはＡＰＬ値の累積とパネル割れの関係がリニアではないため、実験に基づいて表２のような換算表を設定したものである。
【００４０】
【表２】
2007264014.tif 000004
【００４１】
この表２に示すポイントは、表示領域２２０に白い画像、すなわちＡＰＬ１００％の画像が最低３分間継続したとき、ＡＰＬが２０％の状態が１１分間継続したときに、表示部２００がパネル割れしやすいという実験結果に基づいて設定されている。
【００４２】
具体的には、予測温度差演算部３５０は、各ＡＰＬ演算部３２１の演算したピーク検出用ＡＰＬから値が大きい、すなわち輝度が高い上位１０個の値を表２に従ってポイント換算し、そのポイントおよびそのＡＰＬ演算部３２１に対応するブロック２３１のアドレスを摘出して、メモリ３４０に記憶させる。
さらに、ピーク検出用ＡＰＬを取得すると、表２に基づいてポイントを検出して、上位１０個のブロック２３１を認識する。そして、下位５４個のブロック２３１のポイントがメモリ３４０に記憶されている場合、このポイントをアドレスとともに削除する。
また、上位１０個のブロック２３１のポイントがメモリ３４０に記憶されている場合、この記憶されているポイントと合計する。さらに、記憶されていない場合、アドレスとともにメモリ３４０に記憶させる。
【００４３】
さらに、予測温度差演算部３５０は、最初にピーク検出用ＡＰＬを取得してから１１分以内に、条件１および条件２を満たしていることを認識すると、ポイントが１５０以上のブロック２３１が存在するか否かを判断する。そして、存在していると判断すると、ピーク輝度のブロック２３１を特定できた（以下、条件３を満たすと称す）と認識する。
また、１１分以内に、ポイントが１５０以上のブロック２３１が存在しないと判断すると、条件３を満たさないと認識する。
【００４４】
そして、予測温度差演算部３５０は、条件１、条件２、および、条件３を全て満たすと認識すると、ＰＤＰ２１０がパネル割れする可能性があると判断して、予測温度差を演算する。
特定のサブ領域としてのブロック２３１のＡＰＬが継続的に同じ値をとる場合は、図８のグラフが所定の温度差Ｄになったとき、パネル割れする可能性があると判断する。しかし、実際にはブロック２３１ごとのＡＰＬも変化する場合が多いので、後述するようにＡＰＬ値を表２によりポイント換算し、ポイントの累積値により予測温度差を演算する。
この演算の際、例えば表２に基づくポイントが１５０ポイント以上である場合に、予測温度差を、パネル割れする可能性がある例えば３０℃以上であると演算する。
【００４５】
全画面ＡＰＬ演算部３６０は、画像信号入力部１０と、輝度制御部３７０と、に接続されている。全画面ＡＰＬ演算部３６０は、入力画像信号に基づいて、白画面検出用ＡＰＬを演算する。
具体的には、全画面ＡＰＬ演算部３６０は、例えば１０秒ごとに入力画像信号を取得して、表示領域２２０の全範囲についてのＡＰＬを演算する。そして、このＡＰＬを白画面検出用ＡＰＬとして、予測温度差演算部３５０へ出力する。また、全画面ＡＰＬ演算部３６０は、ＡＰＬを適宜演算して、輝度制御部３７０へ出力する。
【００４６】
輝度制御部３７０は、表示部２００に接続されている。輝度制御部３７０は、予測温度差演算部３５０からの予測温度差に基づいて、入力画像信号の画像の輝度を制御する。
具体的には、輝度制御部３７０は、予測温度差を認識すると、この予測温度差があらかじめ設定された設定基準値、例えば３０℃よりも大きいか否かを判断する。そして、設定基準値よりも小さいと判断した場合、パネル割れのおそれが少ないと認識して、図９に示すような輝度の制御を実施する。
すなわち、全画面ＡＰＬ演算部３５０から取得した入力画像信号のＡＰＬが５％よりも小さい場合に、輝度レベルつまり最大輝度を１００％にする状態に制御し、５％よりも大きい場合に、ＡＰＬの増加に伴い最大輝度を直線的に低くする状態に制御する。また、このとき、実際の階調に対応する輝度は、２５５階調を白色として、０階調を黒色として、階調および輝度が略リニアとなる状態に制御される。このため、輝度制御部３７０は、図９に示すような制御をする際に、図１０に示すように、階調に対して駆動パルス数をほぼ比例させる状態で制御する。
そして、輝度制御部３７０は、この図９に基づく状態に制御した画像の表示画像信号を生成して、表示部２００へ出力する。
【００４７】
また、輝度制御部３７０は、予測温度差が設定基準値よりも大きいと判断した場合、パネル割れのおそれが大きいと認識して、図１１に示すような輝度の制御を実施する。
すなわち、入力画像信号のＡＰＬが６０％よりも小さい場合に、最大輝度を６０％にする状態に制御し、６０％よりも大きい場合に、例えば図９に示すような関係と同様にＡＰＬの増加に伴い最大輝度を直線的に低くする状態に制御する。ここで、この図１１に示すような制御をする際にも、図９の制御をする際と同様に、図１０に示すような駆動パルス数の制御を実施する。
そして、輝度制御部３７０は、この図１１に基づく状態に制御した画像の表示画像信号を表示部２００へ出力する。
【００４８】
〔表示装置の動作〕
次に、表示装置１００の動作を、図面を参照して説明する。
図１２は、輝度制御処理を示すフローチャートである。図１３は、白画面検出処理を示すフローチャートである。図１４は、静止画検出処理を示すフローチャートである。図１５は、周辺表示領域のピーク輝度検出処理を示すフローチャートである。
【００４９】
まず、表示装置１００は、温度差予測部３１０にて、画像信号入力部１０からの入力画像信号が入力されたことを認識すると、図１２に示すように、映像モードが輝度を明るくする設定になっているか否かを判断する（ステップＳ１０１）。このステップＳ１０１において、明るくする設定になっていないと判断した場合、輝度制御処理を終了する。
【００５０】
一方、明るくする設定になっていると判断した場合、ピーク検出用ＡＰＬ演算部３２０および静止画検出用ＡＰＬ演算部３３０にて、ピーク検出用ＡＰＬおよび静止画検出用ＡＰＬを演算する。そして、予測温度差演算部３５０は、全画面ＡＰＬ演算部３６０からの白画面検出用ＡＰＬを適宜取得して、白画面検出処理を実施する（ステップＳ１０２）。また、静止画検出用ＡＰＬを適宜取得して、静止画検出処理を実施する（ステップＳ１０３）。さらに、ピーク検出用ＡＰＬを適宜取得して、周辺表示領域２３０のピーク輝度検出処理を実施する（ステップＳ１０４）。
【００５１】
これらステップＳ１０２〜Ｓ１０４の処理を実施した後、予測温度差演算部３５０は、条件１，２，３を全て満たしているか否かを判断する（ステップＳ１０５）。このステップＳ１０５において、条件１〜３を全て満たしていないと判断した場合、輝度制御処理を終了する。
一方、条件１〜３を全て満たしていると判断した場合、パネル割れの可能性があると判断して、図８に示す関係などに基づいて、予測温度差を決定する（ステップＳ１０６）。そして、予測温度差演算部３５０は、この予測温度差を輝度制御部３７０へ出力する。
【００５２】
輝度制御部３７０は、予測温度差演算部３５０から予測温度差を取得すると、この予測温度差、図９〜図１１に示す関係などに基づいて、画像の輝度を下げる制御をする（ステップＳ１０７）。
この後、表示装置１００は、入力切換が発生したか否かを判断する（ステップＳ１０８）。このステップＳ１０８において、発生したと判断した場合、輝度制御処理を終了する。一方、入力切換が発生していないと判断した場合、入力画像信号に変化があるか否かを判断する（ステップＳ１０９）。そして、ステップＳ１０９において、変化があると判断した場合、輝度制御処理を終了する。また、入力画像信号に変化がないと判断した場合、ワイド画面へ切り換えるか否かを判断する（ステップＳ１１０）。
【００５３】
そして、このステップＳ１１０において、ワイド画面へ切り換えると判断した場合、輝度制御処理を終了する。また、ワイド画面へ切り換えないと判断した場合、画面位置を調整するか否かを判断する（ステップＳ１１１）。このステップＳ１１１において、画面位置調整すると判断した場合、輝度制御処理を終了する。一方、画面位置調整しないと判断した場合、輝度が設定した値よりも下がっているか否かを判断する（ステップＳ１１２）。
【００５４】
このステップＳ１１２において、下がっていないと判断した場合、ステップＳ１０８の処理を実施する。一方、下がっていると判断した場合、条件１〜３の全てを満たす状態が継続しているか否かを判断する（ステップＳ１１３）。このステップＳ１１３において、条件１〜３の全てを満たしていると判断した場合、所定時間経過後にステップＳ１１３の処理を実施する。
一方、ステップＳ１１３において、条件１〜３の全てを満たしていないと判断した場合、パネル割れの可能性がないと判断する（ステップＳ１１４）。そして、輝度を徐々に戻す処理をして（ステップＳ１１５）、輝度制御処理を終了する。
【００５５】
また、ステップＳ１０２における白画面検出処理では、図１３に示すように、全画面ＡＰＬ演算部３６０にて、ＡＰＬを１秒ごとに計測して（ステップＳ２０１）、白画面検出用ＡＰＬとして、予測温度差演算部３５０へ出力する。そして、予測温度差演算部３５０は、この取得した１０個の白画面検出用ＡＰＬのうち２０％以下のもの９個以上か否か、すなわち計測された１０回中９回以上が２０％以下か否かを判断する（ステップＳ２０２）。このステップＳ２０２において、１０回中９回以上が２０％以下でないと判断した場合、条件１を満たさないと認識して、白画面検出処理を終了する。
【００５６】
一方、ステップＳ２０２において、１０回中９回以上が２０％以下であると判断した場合、この状態が３分間継続するか否かを判断する（ステップＳ２０３）。そして、ステップＳ２０３において、３分間継続しないと判断した場合、白画面検出処理を終了する。一方、ステップＳ２０３において、３分間継続したと判断した場合、条件１を満たすと認識して（ステップＳ２０４）、白画面検出処理を終了する。
【００５７】
さらに、ステップＳ１０３における静止画検出処理では、静止画検出用ＡＰＬ演算部３３０にて、ＡＰＬを１０秒ごとに計測して、静止画検出用ＡＰＬとして、予測温度差演算部３５０へ出力する。予測温度差演算部３５０は、図１４に示すように、周辺表示領域２３０の静止画検出用ＡＰＬの変化、すなわち直前に取得した静止画検出用ＡＰＬとの差を１０秒ごとに認識する（ステップＳ３０１）。そして、１％以上変化しない状態が３分間継続したか否かを判断する（ステップＳ３０２）。このステップＳ３０２において、３分間継続しないと判断した場合、条件２を満たさないと認識して、静止画検出処理を終了する。
一方、ステップＳ３０２において、３分間継続したと判断した場合、条件２を満たすと認識して（ステップＳ３０３）、静止画検出処理を終了する。前述のように、周辺サブ領域としての各ブロック全てが条件２を満たしたとき、条件２が成立したとみなす。ただし、部分的に画像が変化しただけで該当ブロック２３１では条件２が満たされなくなるため、静止画検出用のブロックの大きさをピーク検出用ＡＰＬのブロックより大きくしたり、周辺領域全体を静止画検出用のブロックとしたりすることもある。
【００５８】
また、ステップＳ１０４における周辺表示領域２３０のピーク輝度検出処理では、予測温度差演算部３５０は、図１５に示すように、図示しない第１のタイマの計測時間Ｔ１を０秒に設定して（ステップＳ４０１）、第１のタイマの計測を開始するとともに、周辺表示領域２３０を６４個のブロック２３１に分割する（ステップＳ４０２）。また、各ブロック２３１のポイントを０ｐ（ポイント）、変数Ｍを０、図示しない第２のタイマの計測時間Ｔ２を０秒に設定して（ステップＳ４０３）、第２のタイマの計測を開始する。
この後、変数Ｍに１を加えた値を新たな変数Ｍとして設定する処理をして（ステップＳ４０４）、第Ｍのブロック２３１のアドレス、ポイントを検出する（ステップＳ４０５）。すなわち、ステップＳ４０５では、第Ｍのブロック２３１に対応するＡＰＬ演算部３２１からピーク検出用ＡＰＬおよびアドレスを取得して、表２に基づいて、ピーク検出用ＡＰＬに対応するポイントを検出する処理をする。
【００５９】
そして、変数Ｍが６４か否か、すなわち６４個のブロック２３１に対してステップＳ４０４の処理を実施したか否かを判断する（ステップＳ４０６）。このステップＳ４０６において、変数Ｍが６４でないと判断した場合、ステップＳ４０４の処理を実施する。
一方、変数Ｍが６４であると判断した場合、６４個のブロック２３１のうち、ポイントが大きい上位１０個のブロック２３１のアドレスおよびポイントを摘出する（ステップＳ４０７）。この後、下位５４個のブロック２３１のアドレスおよびポイントを、メモリ３４０から削除する（ステップＳ４０８）。さらに、上位１０個のブロック２３１について、摘出したポイントをメモリ３４０に記憶された前回までのポイントと合計する処理をする（ステップＳ４０９）。なお、このステップＳ４０９において、メモリ３４０に前回までのポイントが記憶されていない場合、アドレスとともにメモリ３４０に新たに記憶させる処理をする。
【００６０】
この後、予測温度差演算部３５０は、計測時間Ｔ２が６０秒よりも長いか否かを判断する（ステップＳ４１０）。そして、ステップＳ４１０において、６０秒よりも長いと判断した場合、ステップＳ４０３の処理を実施する。
一方、ステップＳ４１０において、６０秒よりも短いと判断した場合、条件１を満たしているか否かを判断する（ステップＳ４１１）。このステップＳ４１１において、条件１を満たしていないと判断した場合、ステップＳ４０１に戻る。一方、ステップＳ４１１において、条件１を満たしていると判断した場合、条件２を満たしているか否かを判断する（ステップＳ４１２）。このステップＳ４１２において、条件２を満たしていないと判断した場合、ステップＳ４０１に戻る。また、ステップＳ４１２において、条件２を満たしていると判断した場合、計測時間Ｔ１が１１分よりも長いか否かを判断する（ステップＳ４１３）。
【００６１】
そして、予測温度差演算部３５０は、ステップＳ４１３において、１１分よりも長いと判断した場合、ステップＳ４０１に戻る。また、ステップＳ４１３において、１１分よりも短いと判断した場合、ポイントが１５０ｐ以上のブロック２３１が存在しているか否かを判断する（ステップＳ４１４）。
このステップＳ４１４において、１５０ｐ以上のブロック２３１が存在していないと判断した場合、ステップＳ４０３に戻る。一方、ステップＳ４１４において、１５０ｐ以上のブロック２３１が存在していると判断した場合、条件３を満たすと認識して（ステップＳ４１５）、ピーク輝度検出処理を終了する。
【００６２】
〔表示装置の作用効果〕
上述したように、上記実施の形態では、表示装置１００は、予測温度差演算部３５０にて、画像信号入力部１０からの入力画像信号に基づいて、表示部２００の周辺表示領域２３０および外周領域２５０の予測温度差を予測する。そして、この予測した予測温度差が設定基準値以上である場合、周辺表示領域２３０に表示される画像の輝度を低下させる制御をする。すなわち、予測温度差の増加に応じて、輝度を低下させる制御をする。
このため、入力画像信号のみを利用して予測温度差を予測して、この予測温度差を用いた演算を実施することなく、周辺表示領域２３０に表示される画像の輝度を適切に制御することができる。
したがって、温度推定値および基準値を用いた演算により予測温度差を求める従来の構成と比べて、表示部２００の破損を防止する輝度の制御を容易にできる。
【００６３】
また、周辺表示領域２３０を、６４個のブロック２３１で構成している。表示装置１００は、ピーク検出用ＡＰＬ演算部３２０にて、ブロック２３１に表示される入力画像信号のピーク検出用ＡＰＬをブロック２３１ごとに演算する。そして、表２に基づくポイントが最も大きいブロック２３１、すなわちピーク検出用ＡＰＬが最も大きいブロック２３１のピーク検出用ＡＰＬに基づいて、予測温度差を演算する。
このため、ピーク検出用ＡＰＬが最も大きい、すなわち実際の温度差が最も大きいブロック２３１の予測温度差に基づいて、輝度を制御することにより、破損を防止する輝度制御をより適切にできる。
【００６４】
さらに、表示装置１００は、ブロック２３１に表示される入力画像信号の静止画検出用ＡＰＬ信号を生成する。そして、この静止画検出用ＡＰＬ信号の静止画検出用ＡＰＬに基づいて、周辺表示領域２３０に静止画に近い画像が連続して表示されていることを認識すると、予測温度差を演算する。
このため、動画と比べて温度が変化しにくい、すなわち高温が保たれやすい静止画が表示されている状態における、実際の温度差が最も大きい周辺表示領域２３０の予測温度差を演算することができ、破損を防止する輝度制御をさらに適切にできる。
【００６５】
また、表示装置１００は、周辺表示領域２３０の各ブロック２３１に対応させてポイントを記憶可能なメモリ３４０を備えている。そして、表示装置１００は、所定のブロック２３１のピーク検出用ＡＰＬを取得すると、このピーク検出用ＡＰＬのポイントをメモリ３４０に記憶されているポイントと合計して、この合計したポイントに基づいて、予測温度差を演算する。
このため、複数のピーク検出用ＡＰＬのポイントを合計した値に基づいて、温度差が最も大きい状態が所定時間継続するブロック２３１の予測温度差を演算することができ、破損を防止する輝度制御をさらに適切にできる。
【００６６】
そして、表示装置１００は、ピーク検出用ＡＰＬのポイントが小さい下位５４個のブロック２３１のポイントをメモリ３４０から削除するとともに、上位１０個のブロック２３１のポイントをメモリ３４０のポイントと合計する。
このため、メモリ３４０に最大１０個のブロック２３１のポイントを記憶させるので、全てのブロック２３１のポイントをメモリ３４０に記憶させておく構成と比べて、メモリ３４０の容量を小さくできる。
【００６７】
さらに、表示装置１００は、図１１に示すように、予測温度差に基づいて、表示画像信号の画像の最大輝度を設定する。
このため、入力画像信号のＡＰＬが大きい場合であっても、最大輝度よりも輝度が高い画像を表示させないので、破損をより確実に防止できる。
【００６８】
また、表示装置１００は、図１１に示すように、表示領域２２０の全範囲についてのＡＰＬの増加に応じて、最大輝度を低下させる制御をする。
このため、表示領域２２０のＡＰＬの増加に応じて最大輝度を低下させるので、ＡＰＬの増加にかかわらず最大輝度を低下させない構成と比べて、破損をさらに確実に防止できるとともに、画像の表示状態を適切に制御できる。
【００６９】
そして、表示装置１００は、図１１に示すように、最大輝度を設定すると、入力画像信号のＡＰＬおよび表示画像信号の最大輝度の関係を一意的に決定する。
このため、入力画像信号のＡＰＬを演算するだけで表示画像信号の最大輝度を決定でき、輝度制御をより容易にできる。
【００７０】
また、表示部２００に、放熱用シャーシ２７０を設けている。
このため、画像表示前において、周辺表示領域２３０および外周領域２５０の温度差を略０にすることができる。
したがって、図８に示すように、外周領域２５０の温度を考慮に入れることなく予測温度差を決定することができ、輝度制御をより容易にできる。
【００７１】
〔実施の形態の変形〕
なお、本発明は、上述した実施の形態に限定されるものではなく、本発明の目的を達成できる範囲で以下に示される変形をも含むものである。
【００７２】
すなわち、周辺表示領域２３０を図１６に示すような構成としてもよい。
つまり、図１６に示すように、表示領域２２０の周辺表示領域４１０において、互いに一部が重複する周辺サブ領域としてのブロック４１１Ａ，４１１Ｂ，４１１Ｃのポイントを認識する構成としてもよい。
【００７３】
また、図１７に示すような構成としてもよい。
図１７に示す構成では、表示領域２２０の周辺表示領域４３０において、周辺サブ領域としての左右側のブロック４３１Ａの場合に、表２に基づくポイントを例えば２倍にした値を認識し、このブロック４３１Ａと等しい画素数を有する周辺サブ領域としての上下側のブロック４３１Ｂの場合に、表２に基づくポイントをそのまま認識する。つまり、左右側のブロック４３１Ａのポイントを、上下側のブロック４３１Ｂよりも重み付けして演算する。
このような構成にすれば、一般的に上下側よりも破損が発生しやすい左右側のブロック４３１Ａのポイントを重み付けしているので、この破損が生じやすい左右側のブロック４３１Ａのポイントに基づいて、破損を防止する輝度制御をより適切にできる。
【００７４】
そして、左右側の周辺サブ領域のポイントを、上下側の周辺サブ領域よりも重み付けして演算する構成としては、図１８や図１９に示すような構成としてもよい。
図１８に示す構成では各ブロックに含まれる画素数に比例した重み付けを行う。すなわち、表示領域２２０の周辺表示領域４５０において、左右側のブロック４５１Ａの場合、および、このブロック４５１Ａよりも少ない画素数を有する上下側のブロック４５１Ｂの場合、表２に基づくポイントを認識する。
また、図１９に示す構成では、表示領域２２０の周辺表示領域４７０において、左右側のブロック４７１Ａのピーク検出用ＡＰＬと、このブロック４７１Ａの上下側のブロック４７１Ｂ，４７１Ｃのピーク検出用ＡＰＬとの差が所定値よりも大きい場合、つまり、ブロック４７１Ａと、ブロック４７１Ｂ，４７１Ｃと、の温度差が所定値よりも大きい場合に、ブロック４７１Ａの表２に基づくポイントを２倍にした値を認識する。また、表示装置の縦横を変えて利用する場合は、表示装置の縦置き、横置きの検出手段を設ける必要がある。
これらのような構成にしても、図１７に示す構成と同様に、破損を防止する輝度制御をより適切にできる。
なお、ブロック４５１Ａ，４５１Ｂ，４７１Ａ，４７１Ｂ，４７１Ｃが、本発明の周辺サブ領域に対応する。
【００７５】
そして、予測温度差演算部３５０にて、以下のように予測温度差を演算する構成としてもよい。
具体的には、静止画検出用ＡＰＬに基づいて、ピーク検出用ＡＰＬのポイントが最大のブロック２３１の画像が静止画か否かを判断する。そして、静止画の場合に、このブロック２３１のＡＰＬに基づいて予測温度差を演算し、動画の場合に、ポイントの大きさが２番目以降のブロック２３１のうちポイントが最も大きい静止画のブロック２３１のＡＰＬに基づいて予測温度差を演算する構成としてもよい。すなわち、静止画のブロック２３１のうち、ポイントが最も大きいブロック２３１のＡＰＬに基づいて、予測温度差を演算する構成としてもよい。
なお、ブロック２３１が静止画か否かを判断する手法としては、現フレームと前のフレームの同じブロック２３１の入力画像信号の変化に基づいて判断する手法や、動きベクトルを用いて判断する方法等、公知の手法を適宜利用してもよい。また、静止画かどうかの判断はブロック単位でなく、フレーム単位で行ってもいい。
【００７６】
さらに、予測温度差演算部３５０にて、以下のように予測温度差を演算する構成としてもよい。
具体的には、静止画検出用ＡＰＬおよびピーク検出用ＡＰＬに基づいて、各ブロック２３１のそれぞれについて予測候補温度差を演算する。この予測候補温度差を演算する方法としては、所定のブロック２３１が静止画の場合に、図８に基づき求められる温度差を例えば１．５倍した値を予測候補温度差として演算し、動画の場合に、図８で求められる温度差を予測候補温度差として演算する方法が例示できるが、これに限られない。
そして、各ブロック２３１の予測候補温度差のうち、最も大きい予測候補温度差を予測温度差として、輝度制御部３７０へ出力する構成としてもよい。
【００７７】
さらに、図２０に示すように、入力画像信号の画像の輝度を制御する構成としてもよい。
すなわち、予測温度差が３０℃よりも大きい場合に、図１１と同様に輝度制御をする。そして、２０℃〜３０℃の場合、入力画像信号のＡＰＬが３０％よりも小さい場合に、最大輝度を８０％にする状態に制御し、３０％よりも大きい場合に、３０℃よりも大きい場合と同様にＡＰＬの増加に伴い最大輝度を直線的に低くする状態に制御する構成としてもよい。
このような構成にすれば、上記実施の形態の構成と比べて、画像の状態にあわせてより細かに制御できる。
【００７８】
また、入力画像信号の画像の輝度を以下のように制御する構成としてもよい。
具体的には、所定のブロック２３１のピーク検出用ＡＰＬを演算する。そして、例えば図９に基づき求められる最大輝度に基づいて、表示画像信号のＡＰＬに換算する。さらに、この換算値を、温度上昇値に換算する。このとき、静止画検出用ＡＰＬを考慮に入れて、ブロック２３１が静止画の場合の温度上昇値が、動画の場合よりも大きくするように換算する。そして、この温度上昇値を所定時間ごとに合計し、いずれかのブロック２３１の合計値が所定値以上になったときに、例えば図１１に示すような輝度制御を開始する構成としてもよい。
さらに、このような構成や、上記実施の形態の構成において、入力画像信号のＡＰＬに関わらず、図１１の輝度制御を所定時間である例えば３０分間継続した後に、図９の輝度制御に戻る構成としてもよい。
【００７９】
さらに、上記実施の形態では、入力画像信号に基づいて予測温度差を演算したが、図２１に示すような構成として、表示画像信号に基づいて予測温度差を演算する構成としてもよい。
この図２１に示す表示装置５００の演算手段としての輝度制御装置６００は、温度差予測部６１０と、表示画像信号生成部としても機能する輝度制御部６７０と、の機能が上記実施の形態と異なっている。すなわち、温度差予測部６１０は、ピーク検出用ＡＰＬ演算部３２０および静止画検出用ＡＰＬ演算部３３０が画像信号入力部１０ではなく輝度制御部６７０に接続されている構成と、予測温度差演算部６５０の機能と、が上記実施の形態と異なっている。
【００８０】
ピーク検出用ＡＰＬ演算部３２０および静止画検出用ＡＰＬ演算部３３０は、輝度制御部６７０から入力画像信号に対して例えば図９に示すような輝度制御がされた表示画像信号を取得する。そして、この表示画像信号に基づいて、ピーク検出用ＡＰＬおよび静止画検出用ＡＰＬを演算して、予測温度差演算部６５０へ出力する。
予測温度差演算部６５０は、表示画像信号に基づくピーク検出用ＡＰＬおよび静止画検出用ＡＰＬと、白画面検出用ＡＰＬと、などに基づいて、上記実施の形態の予測温度差演算部３５０と同様の処理をして、予測温度差を求めて輝度制御部６７０へ出力する。
そして、輝度制御部６７０は、予測温度差演算部６５０からの表示画像信号に基づき演算された予測温度差に基づいて、輝度制御をする。
このような構成にしても、上記実施の形態と同様の作用効果を奏することができる。また、実際に表示部２００に表示される画像における予測温度差を演算するので、上記実施の形態の構成と比べて、より適切に輝度を制御できる。
【００８１】
そして、上述した実施の形態の変形の構成を、適宜組み合わせた構成としてもよい。
【００８２】
また、予測温度差演算部３５０，６５０にて、静止画検出用ＡＰＬおよび白画面検出用ＡＰＬのうち少なくともいずれか一方を利用せずに、予測温度差を演算する構成としてもよい。
このような構成にすれば、予測温度差の演算処理時の負荷を低減できる。
【００８３】
そして、メモリ３４０の容量を６４個のブロック２３１のポイントを記憶可能な容量として、常時６４個のブロック２３１のポイントを記憶させておく構成としてもよい。
このような構成にすれば、予測温度差の演算処理時の負荷をさらに低減できる。
【００８４】
さらに、表示部２００に放熱用シャーシ２７０を設けない構成としてもよい。
また、放熱用シャーシ２７０の代わりに、熱伝導性シートなどの放熱部材を設ける構成としてもよい。
【００８５】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から演算手段としてのコンピュータで読み取らせる構成とすることにより、取扱が容易で、利用の拡大が容易に図れる。
【００８６】
その他、本発明の実施の際の具体的な構造および手順は、本発明の目的を達成できる範囲で他の構造などに適宜変更できる。
【００８７】
〔実施形態の作用効果〕
上述したように、上記実施の形態では、表示装置１００は、画像信号入力部１０からの入力画像信号に基づいて、表示部２００の周辺表示領域２３０および外周領域２５０の予測温度差を予測する。そして、この予測した予測温度差の設定基準値以上である場合、周辺表示領域２３０に表示される画像の輝度を低下させる制御をする。
このため、入力画像信号のみを利用して予測温度差を予測して、この予測温度差を用いた演算を実施することなく、周辺表示領域２３０に表示される画像の輝度を適切に制御することができる。
したがって、温度推定値および基準値を用いた演算により予測温度差を求める従来の構成と比べて、表示部２００の破損を防止する輝度の制御が容易な表示装置１００および輝度制御装置３００を提供できる。
【００８８】
そして、他の実施の形態では、表示装置５００は、輝度制御部６７０からの表示画像信号に基づいて、予測温度差を予測する。そして、この予測温度差に基づいて、周辺表示領域２３０に表示される画像の輝度を低下させる制御をする。
このため、表示画像信号のみを利用して予測温度差を予測して、この予測温度差を用いた演算を実施することなく、周辺表示領域２３０に表示される画像の輝度を適切に制御することができ、表示部２００の破損を防止する輝度の制御が容易な表示装置５００および輝度制御装置６００を提供できる。
【図面の簡単な説明】
【００８９】
【図１】本発明の一実施の形態に係る表示装置の概略構成を示すブロック図である。
【図２】前記一実施の形態における表示部の概略構成を示す模式図であり、（Ａ）は正面図であり、（Ｂ）は側面図である。
【図３】前記一実施の形態におけるピーク検出用ＡＰＬおよび静止画検出用ＡＰＬを演算する対象のブロックを示す模式図である。
【図４】前記一実施の形態におけるピーク検出用ＡＰＬおよび静止画検出用ＡＰＬを演算する対象のブロックを示す模式図である。
【図５】前記一実施の形態におけるピーク検出用ＡＰＬおよび静止画検出用ＡＰＬを演算する対象のブロックを示す模式図である。
【図６】前記一実施の形態におけるピーク検出用ＡＰＬおよび静止画検出用ＡＰＬを演算する対象のブロックを示す模式図である。
【図７】前記一実施の形態における各ＡＰＬ時の左右側周辺表示領域および外周領域における時間と温度との関係を示すグラフである。
【図８】前記一実施の形態における各ＡＰＬ時の画像が表示されている際の時間と左右側周辺表示領域および外周領域の温度差との関係を示すグラフである。
【図９】前記一実施の形態における予測温度差が設定基準値よりも小さい場合のＡＰＬおよび輝度レベルの関係を示すグラフである。
【図１０】前記一実施の形態における階調および輝度の関係を示すグラフである。
【図１１】前記一実施の形態における予測温度差が設定基準値よりも大きい場合のＡＰＬおよび輝度レベルの関係を示すグラフである。
【図１２】前記一実施の形態における輝度制御処理を示すフローチャートである。
【図１３】前記一実施の形態における白画面検出処理を示すフローチャートである。
【図１４】前記一実施の形態における静止画検出処理を示すフローチャートである。
【図１５】前記一実施の形態における周辺表示領域のピーク輝度検出処理を示すフローチャートである。
【図１６】本発明の他の実施の形態に係るピーク検出用ＡＰＬのポイントを認識するブロックを示す模式図である。
【図１７】本発明のさらに他の実施の形態に係るピーク検出用ＡＰＬのポイントを認識するブロックを示す模式図である。
【図１８】本発明のさらに他の実施の形態に係るピーク検出用ＡＰＬのポイントを認識するブロックを示す模式図である。
【図１９】本発明のさらに他の実施の形態に係るピーク検出用ＡＰＬのポイントを認識するブロックを示す模式図である。
【図２０】本発明のさらに他の実施の形態に係るＡＰＬおよび輝度レベルの関係を示すグラフである。
【図２１】本発明のさらに他の実施の形態に係る表示装置の概略構成を示すブロック図である。
【符号の説明】
【００９０】
１００，５００…表示装置
２００…表示部
２２０…表示領域
２３０，４１０，４３０，４５０，４７０…周辺表示領域
２３１，４１１Ａ，４１１Ｂ，４１１Ｃ，４３１Ａ，４３１Ｂ，４５１Ａ，４５１Ｂ，４７１Ａ，４７１Ｂ，４７１Ｃ…周辺サブ領域としてのブロック
２４０…中央表示領域
２５０…外周領域
２７０…放熱部材としての放熱用シャーシ
２７５…接着材としての両面テープ
３００，６００…演算手段としての輝度制御装置
３１０，６１０…温度差予測部
３２０…積算値演算部としてのピーク検出用ＡＰＬ演算部
３３０…動き信号生成部としての静止画検出用ＡＰＬ演算部
３４０…積算値記憶手段としてのメモリ
３５０，６５０…予測温度差演算部
３６０…平均信号レベル演算部としての全画面ＡＰＬ演算部
３７０，６７０…表示画像信号生成部としても機能する輝度制御部
【図１】
2007264014.tif 000005
【図２】
2007264014.tif 000006
【図３】
2007264014.tif 000007
【図４】
2007264014.tif 000008
【図５】
2007264014.tif 000009
【図６】
2007264014.tif 000010
【図７】
2007264014.tif 000011
【図８】
2007264014.tif 000012
【図９】
2007264014.tif 000013
【図１０】
2007264014.tif 000014
【図１１】
2007264014.tif 000015
【図１２】
2007264014.tif 000016
【図１３】
2007264014.tif 000017
【図１４】
2007264014.tif 000018
【図１５】
2007264014.tif 000019
【図１６】
2007264014.tif 000020
【図１７】
2007264014.tif 000021
【図１８】
2007264014.tif 000022
【図１９】
2007264014.tif 000023
【図２０】
2007264014.tif 000024
【図２１】
2007264014.tif 000025